(57)【要約】【課題】コンテンツの送信状況をコンテンツ受信側で通知することを可能とするコンテンツ送信装置及びコンテンツ受信装置を提供することを目的とする。【解決手段】レコーダ１のＨＤＤ７に録画したコンテンツを、ＵＳＢケーブル３００を介して接続された携帯電話１００に装着されるＳＤカード２００へ複製する場合、ＳＣＳＩコマンド送受信部１０は、複製が終了すると、ＳＣＳＩコマンド送受信部１１７に対してベンダ拡張ＳＣＳＩコマンドを送信する。ＳＣＳＩコマンド送受信部１１７は、受信したベンダ拡張ＳＣＳＩコマンドの示す通知方法で携帯電話１００側で複製終了の通知を行う。複製終了の通知方法としては、携帯電話１００に設けられる効果音用スピーカ１１３からの終了音や、ＬＥＤ１１２による点灯や、バイブレータ１１１の振動や、表示部１０６での表示などである。【選択図】  図２
2011217189.tif 000002
【特許請求の範囲】
【請求項１】
コンテンツデータを記憶する記憶手段と、
所定のプロトコルに基づき、コンテンツデータを他の装置に送信可能であると共に該他の装置との間でコマンドを送受信可能な接続手段と、
前記記憶手段が記憶するコンテンツデータを、前記接続手段に接続される前記他の装置に送信して複製可能とする複製制御部と、
前記複製制御部で実行する複製が終了した際、前記所定のプロトコルに基づき、複製終了の報知を命じるコマンドを前記他の装置に送信するコマンド送受信部と、
を有することを特徴とするコンテンツ送信装置。
【請求項２】
前記コマンド送受信部は、前記他の装置が前記報知を命じるコマンドに対応しているか否かを判別するためのコマンドを送信し、該コマンドへの応答に応じて、前記報知を命じるコマンドを前記他の装置に送信することを特徴とする請求項１記載のコンテンツ送信装置。
【請求項３】
前記コマンド送受信部は、バッテリ残量情報を要求するコマンドを前記他の装置に送信することを特徴とする請求項１に記載のコンテンツ送信装置。
【請求項４】
前記コマンド送受信部は、複製停止を報知するコマンドを前記他の装置に送信することを特徴とする請求項１に記載のコンテンツ送信装置。
【請求項５】
コンテンツデータを記憶する記憶手段と、
所定のプロトコルに基づき、コンテンツデータを他の装置から受信可能であると共に該他の装置との間でコマンドを送受信可能な接続手段と、
前記記憶手段が記憶するコンテンツデータを、前記接続手段に接続される前記他の装置から受信して複製可能とする複製制御部と、
前記複製制御部で実行する複製が終了した際、前記所定のプロトコルに基づき、複製終了の報知を命じるコマンドを前記他の装置から受信するコマンド送受信部と、
前記コマンド送受信部で受信したコマンドに応じて、複製終了を報知する報知手段と
を有することを特徴とするコンテンツ受信装置。
【請求項６】
前記コマンド送受信部は、前記他の装置からバッテリ残量情報を要求するコマンドを受信した場合、前記コンテンツ受信装置のバッテリ残量を示すコマンドを送信することを特徴とする請求項４に記載のコンテンツ受信装置。
【請求項７】
前記通知制御部は、前記他の装置から複製キャンセルを報知するコマンドを受信した場合、前記コマンドが示す報知方法で複製キャンセルを報知することを特徴とする請求項４に記載のコンテンツ受信装置。
【発明の詳細な説明】
【技術分野】
【０００１】
本発明は、コンテンツ送信装置及びコンテンツ受信装置に関する。
【背景技術】
【０００２】
近年、音声通話だけでなく、写真や動画などを撮影したり、撮影したデータを着脱可能な記憶媒体に記録したりすることのできる携帯電話が広く普及している。また、携帯電話をデータ転送装置として利用することも考えられている（例えば、特許文献１参照）。特許文献１には、携帯電話に接続された第１のデータ端末から、この携帯電話と音声通話を実行している回線網の先の携帯電話に接続された第２のデータ端末へデータを転送する場合の効果的な転送方法について開示されている。
【先行技術文献】
【特許文献】
【０００３】
【特許文献１】特開平１１−３２３７８号公報
【発明の概要】
【発明が解決しようとする課題】
【０００４】
また最近では、携帯電話とレコーダを所定のインタフェースで接続して、レコーダで録画したコンテンツを携帯電話に装着したメモリカードに複製（コピー及びムーブの両方の概念を含むものとする。また、複製をダビングと称することもある）することも考えられている。しなしながら、レコーダはスピーカやＬＥＤ等といったユーザに装置の動作を通知する手段を有していないことが多いため、通常、ユーザは複製の進行状況を知ることができない。コンテンツの送信側がデジタルテレビ等である場合には、複製の進行状況をディスプレイに表示したりスピーカから出力したりすることも可能であるが、このような報知手段を用いると、テレビ放送等の視聴に大きな影響を与えてしまう。そこで、コンテンツの送信装置を携帯電話と接続する場合には、各種の報知手段を有する携帯電話側で報知することが望ましい。
【０００５】
本発明は上述した点に鑑みてなされたものであり、コンテンツの伝送状況をコンテンツ受信側で報知することを可能とするコンテンツ送信装置及びコンテンツ受信装置を提供することを目的とする。
【課題を解決するための手段】
【０００６】
上記目的を達成するために、本発明に係るコンテンツ送信装置は、コンテンツデータを記憶する記憶手段と、所定のプロトコルに基づき、コンテンツデータを他の装置に送信可能であると共に該他の装置との間でコマンドを送受信可能な接続手段と、前記記憶手段が記憶するコンテンツデータを、前記接続手段に接続される前記他の装置に送信して複製可能とする複製制御部と、前記複製制御部で実行する複製が終了した際、前記所定のプロトコルに基づき、複製終了の報知を命じるコマンドを前記他の装置に送信するコマンド送受信部とを有することを特徴としている。
【０００７】
また、本発明に係るコンテンツ受信装置は、コンテンツデータを記憶する記憶手段と、所定のプロトコルに基づき、コンテンツデータを他の装置から受信可能であると共に該他の装置との間でコマンドを送受信可能な接続手段と、前記記憶手段が記憶するコンテンツデータを、前記接続手段に接続される前記他の装置から受信して複製可能とする複製制御部と、前記複製制御部で実行する複製が終了した際、前記所定のプロトコルに基づき、複製終了の報知を命じるコマンドを前記他の装置から受信するコマンド送受信部と、前記コマンド送受信部で受信したコマンドに応じて、複製終了を報知する報知手段とを有することを特徴としている。
【発明の効果】
【０００８】
本発明によれば、コンテンツの伝送状況をコンテンツ受信側で報知することを可能とするコンテンツ送信装置及びコンテンツ受信装置を提供することが実現する。
【図面の簡単な説明】
【０００９】
【図１】本実施の形態における録画コンテンツ伝送システムの構成図。
【図２】本実施の形態における録画コンテンツ伝送システムのブロック図。
【図３】本実施の形態における録画コンテンツ伝送の第１のシークエンス図。
【図４】本実施の形態におけるベンダ拡張モード開始コマンドのフォーマットを示す図。
【図５】本実施の形態におけるベンダ拡張モード開始コマンドのレスポンスデータのフォーマットを示す図。
【図６】本実施の形態におけるベンダ拡張ＳＣＳＩコマンドのフォーマットを示す図。
【図７】本実施の形態におけるバッテリ残量を取得した場合の録画コンテンツ伝送のシークエンス図。
【図８】本実施の形態におけるベンダ拡張ＳＣＳＩコマンドのレスポンスデータのフォーマットを示す図。
【図９】本実施の形態におけるベンダ拡張ＳＣＳＩコマンドの発行処理手順を示すフローチャート。
【発明を実施するための形態】
【００１０】
以下に、図１〜図９を参照して本発明の実施の形態について説明する。図１は本実施の形態における録画コンテンツ伝送システムの構成図である。
本実施の形態における録画コンテンツ伝送システムは、レコーダ１と、携帯電話１００とから構成される。携帯電話１００はカードスロットを有し、ＳＤカード２００を着脱可能である。レコーダ１及び携帯電話１００はＵＳＢケーブル３００で接続される。
【００１１】
レコーダ１は、放送局若しくはインターネット経由で受信したテレビ番組等のコンテンツを内蔵するＨＤＤ７に録画する。また、レコーダ１は、この録画コンテンツをＵＳＢケーブル３００で接続した携帯電話１００に装着されたＳＤカード２００に複製（ダビング）することができる。この際、レコーダ１ではユーザに通知（報知）するための手段がないため、本実施形態では、携帯電話１００側で複製終了や複製キャンセル等の複製進行状況を、音や光、振動、ディスプレイ表示等で通知（報知）する。
【００１２】
レコーダ１は、携帯電話１００に対してベンダ拡張ＳＣＳＩコマンドを送信することで、携帯電話１００側において複製終了や複製キャンセル等の複製進行状況の通知（報知）を行う。
【００１３】
次に、本実施の形態における録画コンテンツ伝送システムの構成について説明する。図２は、本実施の形態における録画コンテンツ伝送システムのブロック図である。
【００１４】
まず、コンテンツ送信装置であるレコーダ１の機能について説明する。レコーダ１は、チューナ３と、ＴＳ処理部４と、信号処理部５と、制御部６と、ＨＤＤ７と、ＵＳＢコントローラ８と、複製制御部９と、ＳＣＳＩコマンド送受信部１０と、復号部１１と、操作入力部１２と、映像出力部１３とを備える。
【００１５】
チューナ３は、地上波デジタル放送、ＢＳデジタル放送及びＣＳデジタル放送等を受信可能なアンテナ２で受信した放送信号の入力を受ける。チューナ３は、制御部６からの制御信号に応じて、アンテナ２から入力を受けた放送信号のうちの所望のチャンネルの放送信号を、地上波デジタル放送、ＢＳデジタル放送及びＣＳデジタル放送の３種類の中から選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだＴＳ（Ｔｒａｎｓｐｏｒｔ  Ｓｔｒｅａｍ）を得てＴＳ処理部４に入力する。
【００１６】
放送局から受信する放送信号は、所定の復調処理を施されることでコンテンツデータ４０となる。この放送局から受信したコンテンツデータ４００は、ＣＣＩ（Ｃｏｐｙ  Ｃｏｎｔｒｏｌ  Ｉｎｆｏｒｍａｔｉｏｎ）や使用制限情報（コンテンツ再生有効期限、再生回数など）と対応づけられて管理されている。
【００１７】
ＴＳ処理部４は、選局されたチャンネルのＴＳがチューナ３から入力され、これら複数のＴＳを１つのＴＳに再多重して、信号処理部５に出力する。
信号処理部５は、ＴＳ処理部４から出力された複数のチャンネルが多重されたＴＳに、適切なデジタル信号処理を施す。録画するためにＴＳ処理部４によって再多重されたＴＳは、制御部６によりＨＤＤ７へ記憶される。
【００１８】
制御部６は、レコーダ１全体の動作を制御する。より具体的には、制御部６は、予約設定等に従って受信したコンテンツデータ４００をＨＤＤ７へ録画する機能を有すると共に、外部接続されるディスプレイ装置等に、復号した映像音声信号を出力する。また、制御部６及びＵＳＢコントローラ８は、ＳＣＳＩコマンド送受信Ｉ／Ｆとしても機能し、本実施の形態においてはＳＣＳＩコマンド送受信部１０と称する。
【００１９】
ＨＤＤ７は、レコーダ１に備えられる記憶装置であり、受信したコンテンツデータ４００や各種設定を記憶する。
ＵＳＢコントローラ８は、ＵＳＢコネクタを介して接続される外部機器との間でデータや制御信号等を送受信するインタフェースである。本実施の形態においては、ベンダ拡張ＳＣＳＩコマンドの送受信を行う。
【００２０】
複製制御部９は、ＨＤＤ７に記憶したコンテンツデータ４００をコンテンツデータ４００に付随する複製制御情報に従って他の記憶媒体に複製する。この複製制御情報とは、放送波コンテンツである場合はＣＣＩや使用制限情報であり、サーバ等を介してダウンロードしたコンテンツである場合はダウンロード時にコンテンツに付与される複製可能回数を規定した情報である。
【００２１】
ＳＣＳＩコマンド送受信部１０は、ＵＳＢコントローラ８を介して外部接続される装置に対して、複製の終了や複製のキャンセル等を通知することを指示するＳＣＳＩ拡張コマンドを送信する。
【００２２】
復号部１１は、ＨＤＤ７に録画したコンテンツデータを復号化する。
操作入力部１２は、レコーダ１に備えられるユーザインタフェースであり、例えばリモコンやレコーダ１の筐体に設けられるボタンである。
映像出力部１３は、復号部１１で復号化されたコンテンツデータ４００を外部接続された他の機器に出力する。
次に、コンテンツ受信側の携帯電話１００の機能について説明する。携帯電話１００は、アンテナ１０１と、電話通信部１０２と、通話制御部１０３と、マイクロホン１０４と、受話用スピーカ１０５と、表示部１０６と、メモリ１０７と、操作入力部１０８と、ＳＤカードホストコントローラ１０９と、制御部１１０と、バイブレータ１１１と、ＬＥＤ１１２と、効果音用スピーカ１１３と、呼制御モジュール１１４と、ＵＳＢ  Ｉ／Ｆ１１５と、複製制御部１１６と、バッテリ１１７と、ＳＣＳＩコマンド送受信部１１８を備える。
【００２３】
電話通信部１０２は、アンテナ１０１を介して通信事業者の基地局と所定の周波数帯域による電波の送受信を行う。
通話制御部１０３は、制御部１１０による通信プロトコル制御によって確立された通話チャンネルを用いて送信される信号を復調すると共に送信する信号を変調することによって相手側との通話経路を形成する。
【００２４】
マイクロホン１０４は、外部音声を集音して電気信号に変換し、当該変換した音声信号を通話制御部１０３によって形成された通話経路に送出する。
受話用スピーカ１０５は、通話制御部１０３によって形成された通話経路より受信された音声信号による音声を外部に放音する。
表示部１０６は、制御部１１０の制御のもとで各種情報の表示を行う。着信があった場合やアラーム設定時刻になった場合には、表示部１０６はその旨の表示をする。
【００２５】
メモリ１０７は、制御部１１０が実行するアプリケーションや、電話帳データ、メールデータ等の各種データを格納する。また本実施の形態においては、メモリ１０７は、ベンダ拡張ＳＣＳＩコマンドに関するアプリケーションや、コンテンツデータ４００を格納する。
【００２６】
コンテンツデータ４００は、画像や音声等のデータである。データには、携帯端末１００に備えられるカメラ等で撮影したものや、ネットワークからダウンロードしたものがある。
【００２７】
操作入力部１０８は、電話番号等を入力する数字キーや各種機能を動作させる機能キー等からなる。
ＳＤカードホストコントローラ１０９は、カードスロットに挿入される各種のメモリカードにアクセスするインタフェースである。本実施の形態においては、ＳＤカード２００にアクセスし、ＳＤカード２００に複製するコンテンツを伝送する。
【００２８】
制御部１１０は、携帯端末１００の他の機能部を制御することで携帯端末１００全体の制御を行う。制御部１１０は、電話通信部１０２における通信プロトコル制御及びユーザインタフェース等の制御を行う。更に制御部１１０は、電話通信部１０２から着信を示す信号を受信すると、バイブレータ１１１、ＬＥＤ１１２、効果音用スピーカ１１３、表示部１０６等の報知デバイスにより着信を報知する。また制御部１１０は、アラームやスケジュール機能に関するアプリケーションを実行することにより、報知するべきイベントが発生した場合には上記の報知デバイスを用いて報知する。
【００２９】
また、制御部１１０及びＵＳＢ  Ｉ／Ｆ１１５は、ＳＣＳＩコマンド送受信Ｉ／Ｆとしても機能し、本実施の形態においてはＳＣＳＩコマンド送受信部１１８と称する。
【００３０】
バイブレータ１１１は、携帯端末１００筐体内に収容され、報知イベントに伴って振動する。例えば、モータの軸に重心を偏らせた重りを取り付けて回転させることでバイブレータ１１１は振動を発生させる。
【００３１】
ＬＥＤ１１２は、携帯端末１００筐体表面に露出するように設けられ、報知イベントに伴って発光する。
効果音用スピーカ１１３は、携帯端末１００筐体内に収容され、報知イベントに伴って音声出力をする。
呼制御モジュール１１４は、報知イベントに応じて、バイブレータ１１１、ＬＥＤ１１２、効果音用スピーカ１１３、表示部１０６の報知デバイスの動作を制御する。
【００３２】
ＵＳＢ  Ｉ／Ｆ１１５は、ＵＳＢコネクタを介して接続される外部機器との間でデータや制御信号等を送受信するインタフェースである。本実施の形態においては、ベンダ拡張ＳＣＳＩコマンドの送受信を行う。
【００３３】
複製制御部１１６は、受信したコンテンツをコンテンツに付随する複製制御情報に従って他の記憶媒体へ複製する。本実施の形態においては、ＳＤカード２００のメモリ２０２へ複製を実行する。
【００３４】
バッテリ１１７は、携帯電話１００の各部に電力を供給する。バッテリ１１７の残量情報は制御部１１０で管理される。
ＳＣＳＩコマンド送受信部１１８は、ＵＳＢコントローラ８を介して外部接続される装置にからＳＣＳＩコマンドを受信し、各部の制御を行う。
ＳＤカード２００は、携帯電話１００のカードスロットに装着された記憶媒体である。ＳＤカード２００は、メモリコントローラ２０１と、メモリ２０２とを備える。メモリコントローラ２０１は、メモリ２０２にアクセスし、データの書き込み及び読み込みを行う。メモリ２０２は、各種のデータを記憶する記憶媒体であり、ユーザがアクセスできない保護領域とユーザがアクセス可能なユーザ領域とを有する。保護領域には、コンテンツをＳＤカード２００に書き込むためのタイトル鍵やＵｓａｇｅ  Ｒｕｌｅが書き込まれる。このＵｓａｇｅ  Ｒｕｌｅは、例えばコンテンツ識別情報や、タイトル鍵情報、コンテンツ再生有効期間、コンテンツ再生可能回数等が含まれる。ユーザ領域には、映像データや音声データの各種のコンテンツデータ４００が格納される。
【００３５】
次に、以上のように構成される録画コンテンツ伝送システムにおける複製終了通知までの流れを説明する。図３は、本実施の形態における録画コンテンツ伝送の第１のシーケンス図である。
【００３６】
制御部６は、外部接続された記憶媒体へコンテンツの複製（ダビング）を指示するコマンドを受信する（ステップＳ１）。すると、制御部６は、ＵＳＢコントローラ８を介して外部接続された携帯電話１００との間で認証処理を実行する（ステップＳ２）。レコーダ１と携帯電話１００との間で行う認証処理の一例としては、ＡＫＥ（Ａｕｔｈｅｎｔｉｃａｔｉｏｎ  ａｎｄ  Ｋｅｙ  Ｅｘｃｈａｎｇｅ）という鍵交換認証技術を適用する。
【００３７】
制御部６は、この認証処理で生成したセッション鍵を、レコーダ１及び携帯電話１００の制御部に備えられるＲＡＭ（Ｒａｎｄｏｍ  Ａｃｃｅｓｓ  Ｍｅｍｏｒｙ）等に記憶する（ステップＳ３）。次に、制御部６は、メモリ２０２の保護領域に格納されているタイトル鍵を取得する（ステップＳ４）。
【００３８】
次に、制御部６は、ＨＤＤ７からローカル鍵で暗号化されているコンテンツデータ４００を読み出し、ローカル鍵を用いて復号する（ステップＳ５）。次に、制御部６は、復号化したコンテンツデータ４００をタイトル鍵で暗号化する（ステップＳ６）。更に、制御部６は暗号化したコンテンツデータ４００をセッション鍵で暗号化する（ステップＳ７）。制御部６は、この暗号化コンテンツデータ４００を、ＵＳＢコントローラ８及びＵＳＢ  Ｉ／Ｆ１１５経由で伝送し、ＳＤカードホストコントローラ１０９及びメモリコントローラ２０１経由でＳＤカード２００へ伝送する（ステップＳ８）。
【００３９】
暗号化コンテンツを受信した複製制御部１１６は、ＲＡＭに記憶していたセッション鍵を用いて受信した暗号化コンテンツデータを復号化し、このコンテンツデータをメモリ２０２のユーザ領域にタイトル鍵で暗号化して書き込む（ステップＳ９）。
【００４０】
次に、コンテンツデータの複製が終了すると、複製制御部９はコンテンツデータの複製制御情報に含まれる複製可能回数を減算する（ステップＳ１０）。複製制御部９は、ＴＫＵＲＥ（Ｔｉｔｌｅ  Ｋｅｙ  ａｎｄ  Ｕｓａｇｅ  Ｒｕｌｅ  Ｅｎｔｒｙ）即ちタイトル鍵と複製制御情報とをセッション鍵で暗号化する（ステップＳ１１）。この暗号化したＴＫＵＲＥをＵＳＢコントローラ８及びＵＳＢ  Ｉ／Ｆ１１５経由で伝送し、ＳＤカードホストコントローラ１０９及びメモリコントローラ２０１経由でＳＤカード２００へ伝送する（ステップＳ１２）。
【００４１】
次に、複製制御部１１６は、暗号化ＴＫＵＲＥをセッション鍵で復号化し、ＳＤカード２００のメモリ２０２の保護領域へ書き込む（ステップＳ１３）。書き込みが終了すると複製制御部１１６はレコーダ１に対して複製完了を示す制御信号を送信する（ステップＳ１４）。
【００４２】
次に、以下のステップＳ１５〜１７のようにＳＣＳＩ（Ｓｍａｌｌ  Ｃｏｍｐｕｔｅｒ  Ｓｙｓｔｅｍ  Ｉｎｔｅｒｆａｃｅ）コマンドの送受信を行うことで、携帯電話１００において複製終了音を出力する。まず、このＳＣＳＩコマンドによる制御を行うためにはホスト装置（レコーダ１）とクライアント（携帯電話１００）との間でＳＣＳＩセッションの開始コマンドとレスポンスコマンドの送受信を経てから実行する。
【００４３】
まず、複製完了を示す制御信号を受信した制御部６は、図４に示すベンダ拡張ＳＣＳＩコマンドモードの開始コマンドを送信する（ステップＳ１５）。図４は、本実施の形態におけるベンダ拡張ＳＣＳＩコマンドモードの開始コマンドのフォーマットを示す図である。ＳＣＳＩコマンドの内容は、ＣＤＢ（Ｃｏｍｍａｎｄ  Ｄｅｓｃｒｉｐｔｏｒ  Ｂｌｏｃｋ）と呼ばれるブロックに記述され、このブロックの中にそのＳＣＳＩデバイスが実行する操作が定義されている。各行８ビットからなり、第０行はベンダ拡張モードを示す「Ｏｐｅｒａｔｉｏｎ  Ｃｏｄｅ」、第１行には論理ユニットを識別するための「ＬＵＮ（Ｌｏｇｉｃａｌ  Ｕｎｉｔ  Ｎｕｍｂｅｒ）」と開始若しくは終了を示す「Ｃｏｍｍａｎｄ  Ｍｏｄｅ」、第２〜８行にはベンダ情報を示す「Ｓｉｇｎａｔｕｒｅ」、第９行には制御情報を示す「Ｃｏｎｔｒｏｌ」が定義されている。
【００４４】
本実施の形態においては、「Ｏｐｅｒａｔｉｏｎ  Ｃｏｄｅ」にはＣ０ｈ、「ＬＵＮ」には０、「Ｃｏｍｍａｎｄ  Ｍｏｄｅ」には開始を示す場合０、終了を示す場合は１、「Ｃｏｎｔｒｏｌ」には０が設定されている。また、ベンダ情報を示す第２〜８行には、それぞれ「Ｔ」「ｏ」「ｓ」「ｈ」「ｉ」「ｂ」「ａ」を示すベンダ識別値を設定する。
【００４５】
この開始コマンドを受信した携帯電話１００は図５に示すようなレスポンスを返信する（ステップＳ１６）。図５は、本実施の形態におけるベンダ拡張モード開始コマンドのレスポンスデータのフォーマットを示す図である。レスポンスデータでは第１行及び第９行に「０」が定義され、第１〜７行に「Ｓｉｇｎａｔｕｒｅ」、第８行に認識できる論理ユニットの最大数を示す「ｍａｘ  ＬＵＮ  Ｎｕｍｂｅｒ」が定義される。
【００４６】
この開始コマンドの送信及びレスポンスの受信を経て、携帯電話１００がベンダ拡張ＳＣＳＩコマンドモードに対応している装置であると判別すると、次にレコーダ１は複製終了音を通知するためにベンダ拡張ＳＣＳＩコマンドを送信する（ステップＳ１７）。図６は、本実施の形態におけるベンダ拡張ＳＣＳＩコマンドのフォーマットを示す図である。第０行はベンダ拡張モードを示す「Ｏｐｅｒａｔｉｏｎ  Ｃｏｄｅ」、第１行には論理ユニットを識別するための「ＬＵＮ（Ｌｏｇｉｃａｌ  Ｕｎｉｔ  Ｎｕｍｂｅｒ）」とコマンドの内容を示す「Ｃｏｍｍａｎｄ  Ｉｎｄｅｘ」、第２〜８行にはベンダが変更できないことを示す「Ｒｅｓｅｒｖｅｄ」、第９行には制御情報を示す「Ｃｏｎｔｒｏｌ」が定義されている。
【００４７】
本実施の形態においては、「Ｏｐｅｒａｔｉｏｎ  Ｃｏｄｅ」には「Ｃ１ｈ」、「ＬＵＮ」には「０」、「Ｃｏｍｍａｎｄ  Ｉｎｄｅｘ」にはアラームを鳴らすことを示す場合は「１」、ＬＥＤを点灯させることを示す場合は「２」、バイブレータを振動させる場合は「３」、バッテリ残量を取得する場合は「４」、「Ｃｏｎｔｒｏｌ」には「０」が設定されている。
【００４８】
図６に示すように定義されるベンダ拡張ＳＣＳＩコマンドを受信したＳＣＳＩコマンド送受信部１１８は、コマンドの内容に従って携帯電話１００各部を制御する。例えば「Ｃｏｍｍａｎｄ  Ｉｎｄｅｘ」が「１」である場合は効果音用スピーカ１１３を制御することで複製終了音を出力する（ステップＳ１８）。また、「Ｃｏｍｍａｎｄ  Ｉｎｄｅｘ」が「２」である場合はＬＥＤ１１２を制御することでＬＥＤを発光させ、「Ｃｏｍｍａｎｄ  Ｉｎｄｅｘ」が「３」である場合はバイブレータ１１１を制御することで振動させ、「Ｃｏｍｍａｎｄ  Ｉｎｄｅｘ」が「４」である場合は表示部１０６を制御することで文字等を表示することで、それぞれ複製の終了を通知（報知）する。
【００４９】
次に、「Ｃｏｍｍａｎｄ  Ｉｎｄｅｘ」に「５」を定義し、携帯電話１００のバッテリ残量を取得するＳＣＳＩコマンドを送信した場合の録画コンテンツ伝送の手順について図７を用いて説明する。図７は、本実施の形態におけるバッテリ残量を取得した場合の録画コンテンツ伝送のシークエンス図である。ステップＳ４までは図３と同様であるので説明を省略する。
【００５０】
タイトル鍵を取得した後（ステップＳ４）、ＳＣＳＩコマンド送受信部１０は、図４に示すようなベンダ拡張ＳＣＳＩコマンドモードの開始コマンドを送信する（ステップＳ２５）。そして、送信先の装置がこのベンダ拡張ＳＣＳＩコマンドに対応している場合には、ＳＣＳＩコマンド送受信部１１８から、図５に示すようなレスポンスを返信する（ステップＳ２６）。
【００５１】
次に、ＳＣＳＩコマンド送受信部１０は、図６に示すようなベンダ拡張ＳＣＳＩコマンドを送信する（ステップＳ２７）。ここで「Ｃｏｍｍａｎｄ  Ｉｎｄｅｘ」には「５」が定義され、ＳＣＳＩコマンドは携帯電話１００のバッテリ残量の取得を示す。
【００５２】
ＳＣＳＩコマンド送受信部１１８は、このベンダ拡張ＳＣＳＩコマンドを受信すると、バッテリ１１７の残量を参照して、図８に示すようなレスポンスを返信する（ステップＳ２８）。図８は、本実施の形態におけるベンダ拡張ＳＣＳＩコマンドのレスポンスデータのフォーマットを示す図である。
【００５３】
第０行は「Ｏｐｅｒａｔｉｏｎ  Ｃｏｄｅ」、第１行は「ＬＵＮ」と「Ｃｏｍｍａｎｄ  Ｉｎｄｅｘ」、第２〜４行は「Ｒｅｓｅｒｖｅｄ」、第５〜８行にはＳＣＳＩコマンドに対する返答内容を示す「Ｒｅｓｐｏｎｓｅ  Ｄａｔａ」、第９行には制御情報を示す「Ｃｏｎｔｒｏｌ」が定義されている。
【００５４】
本実施の形態においては、「Ｏｐｅｒａｔｉｏｎ  Ｃｏｄｅ」には「Ｃ２ｈ」、「ＬＵＮ」には「０」、「Ｃｏｍｍａｎｄ  Ｉｎｄｅｘ」にはバッテリ残量情報を示す「５」、「Ｃｏｎｔｒｏｌ」には「０」が設定されている。
【００５５】
このレスポンスデータをＳＣＳＩコマンド送受信部１０が受信し、携帯電話１００のバッテリ残量が複製に必要と設定されている閾値以下であるか否かを判別する（ステップＳ２９）。複製に必要なバッテリ残量の閾値は例えばＨＤＤ７に記憶されている。
【００５６】
バッテリ残量を判別した結果、閾値以下であると判別した場合は、複製のキャンセル処理を行う（ステップＳ３０）。ここで複製のキャンセル処理とは、複製途中のコンテンツを削除し複製前の状態に戻す処理や、途中まで複製したコンテンツを再生可能な状態で保存して複製を終了する処理である。
【００５７】
次に、ＳＣＳＩコマンド送受信部１０は、複製キャンセル処理を終了後、携帯電話１００側で通知するためにＳＣＳＩコマンドを送信する（ステップＳ３１）。この複製キャンセルを通知する際に送信するＳＣＳＩコマンドは、図６に示すようなフォーマットで同様に定義される。
【００５８】
例えば「Ｃｏｍｍａｎｄ  Ｉｎｄｅｘ」が「１」である場合は効果音用スピーカ１１３を制御することで複製をキャンセルされたことを報知するために音を出力する（ステップＳ３２）。また、「Ｃｏｍｍａｎｄ  Ｉｎｄｅｘ」が「２」である場合はＬＥＤ１１２を制御することでＬＥＤを発光させ、「Ｃｏｍｍａｎｄ  Ｉｎｄｅｘ」が「３」である場合はバイブレータ１１１を制御することで振動させ、「Ｃｏｍｍａｎｄ  Ｉｎｄｅｘ」が「４」である場合は表示部１０６を制御することで文字等を表示することで、それぞれ複製のキャンセルを通知（報知）する。
【００５９】
次に、ＳＣＳＩコマンド送受信部１０の行うベンダ拡張ＳＣＳＩコマンドを発行する場合の処理手順を説明する。図９は、本実施の形態におけるベンダ拡張ＳＣＳＩコマンドの発行処理手順を示すフローチャートである。
【００６０】
まず、ＳＣＳＩコマンド送受信部１０は、ベンダ拡張モード開始コマンドを発行する（ステップＳ１０１）。次に、ＳＣＳＩコマンド送受信部１０は、開始コマンドに対するレスポンスデータを受信し、このベンダ拡張モードに対応しているか否かを判別する（ステップＳ１０２）。即ち、レスポンスデータが開始コマンドに対する正常な返答であるか否かを判別する。この結果、ベンダ拡張モードに対応していないと判別した場合（ステップＳ１０２のＮｏ）、この発行処理手順を終了する。一方、ベンダ拡張モードに対応していると判別した場合（ステップＳ１０２のＹｅｓ）、次にＳＣＳＩコマンド送受信部１０はベンダ拡張ＳＣＳＩコマンドを発行する（ステップＳ１０３）。このベンダ拡張ＳＣＳＩコマンドが、ＳＣＳＩコマンド送受信部１１８で実行され、携帯電話１００において複製の動作についての通知が実行される。
【００６１】
次に、ベンダ拡張モードを終了する場合、ベンダ拡張モード終了コマンドを発行する（ステップＳ１０４）。次に、ＳＣＳＩコマンド送受信部１１８は、終了コマンドに対するレスポンスデータを受信し、このベンダ拡張モードが正常に終了されたか否かを判別する（ステップＳ１０５）。この結果、ベンダ拡張モードが正常に終了されていないと判別した場合（ステップＳ１０５のＮｏ）、ステップＳ１０４に戻り、再度ベンダ拡張モードの終了コマンドを送信する。一方、正常にベンダ拡張モードが終了したと判別した場合（ステップＳ１０５のＹｅｓ）、このベンダ拡張ＳＣＳＩコマンド発行処理を終了する。
【００６２】
以上のように構成される本実施の形態によれば、複製終了を通知する手段を持たないレコーダ１から携帯電話１００に対してベンダ拡張のＳＣＳＩコマンドを送信することで、携帯電話１００側で複製終了を通知することができる。更に、携帯電話１００のバッテリ残量情報を取得することで、複製を完了できないと想定される場合には、複製処理をキャンセルすることができる。このようなベンダ拡張ＳＣＳＩコマンドを設定することで、コンテンツ送信側に新たな通知手段を設けることなく、コンテンツの複製動作の進行状況をユーザに通知することが実現する。
【００６３】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６４】
１…レコーダ、２…アンテナ、３…チューナ、４…ＴＳ処理部、５…信号処理部、６…制御部、７…ＨＤＤ、８…ＵＳＢコントローラ、９…複製制御部、１０…ＳＣＳＩコマンド送受信部、１１…復号部、１２…操作入力部、１３…映像出力部、１００…携帯電話、１０１…アンテナ、１０２…通話通信部、１０３…通話制御部、１０４…マイクロホン、１０５…受話用スピーカ、１０６…表示部、１０７…メモリ、１０８…操作入力部、１０９…ＳＤカードコントローラ、１１０…制御部、１１１…バイブレータ、１１２…ＬＥＤ、１１３…効果音用スピーカ、１１４…呼制御モジュール、１１５…ＵＳＢ  Ｉ／Ｆ、１１６…複製制御部、１１７…バッテリ、ＳＣＳＩコマンド送受信部１１８、２００…ＳＤカード、２０１…メモリコントローラ、２０２…メモリ、３００…ＵＳＢケーブル、４００…コンテンツデータ。
【図１】
2011217189.tif 000003
【図２】
2011217189.tif 000004
【図３】
2011217189.tif 000005
【図４】
2011217189.tif 000006
【図５】
2011217189.tif 000007
【図６】
2011217189.tif 000008
【図７】
2011217189.tif 000009
【図８】
2011217189.tif 000010
【図９】
2011217189.tif 000011